(57)【要約】      （修正有）【課題】鎮痛プラスターとして身体の患部に貼り付けると、体温が０.５〜１℃上昇して血行を促進させ、且つ電子を発散して体内のプラス電子が±０になり、首・肩のこり、腰痛、神経痛などを速やかに取り去る。【解決手段】高純度の無機ゲルマニウムの微粉末をバインダと混合し、シート基材2の上にコートしてゲルマニウム含有層14を形成し、さらに該ゲルマニウム含有層の上に適宜の平面形状の接着層16を形成しており、例えば、ゲルマニウム含有層として純度９９.９９９％以上の無機ゲルマニウムの微粉末をポリウレタン系樹脂と混合する。【選択図】図１
0003103042.tif 000002
【実用新案登録請求の範囲】
【請求項１】
高純度の無機ゲルマニウムの微粉末をバインダと混合し、シート基材の上にコートしてゲルマニウム含有層を形成し、さらに該ゲルマニウム含有層の上に適宜の平面形状の接着層を形成する鎮痛プラスター。
【請求項２】
純度９９％以上の無機ゲルマニウムの微粉末をポリウレタン系樹脂と混合し、シート基材の上にコートしてゲルマニウム含有層を形成し、さらに該ゲルマニウム含有層の上に適宜の平面形状の接着層を形成する鎮痛プラスター。
【請求項３】
布地の上にアルミニウム粉末とバインダからなる反射層を有するシート基材を作製し、ついで純度９９％以上の無機ゲルマニウムの微粉末をバインダと混合し、シート基材の反射層の上にコートしてゲルマニウム含有層を形成し、さらに該ゲルマニウム含有層の上に適宜の平面形状の接着層を形成する鎮痛プラスター。
【請求項４】
ナイロン生地の上にアルミニウム粉末とポリウレタン系樹脂からなる反射層を有するシート基材を作製し、ついで高純度の無機ゲルマニウムの微粉末をポリウレタン系樹脂と混合し、シート基材の反射層の上にコートしてゲルマニウム含有層を形成し、さらに該ゲルマニウム含有層の上に適宜の平面形状の接着層を形成する鎮痛プラスター。
【請求項５】
ナイロン生地の上にアルミニウム粉末とポリウレタン系樹脂からなる反射層を形成するとともに、ナイロン生地の上にポリウレタン系樹脂を含有する模様層を形成し、双方のナイロン生地を貼り合わせてシート基材を作製し、ついで純度９９.９９９％以上の無機ゲルマニウムの微粉末をポリウレタン系樹脂と混合し、シート基材の反射層の上にコートしてゲルマニウム含有層を形成し、さらに該ゲルマニウム含有層の上にゴム系粘着剤またはアクリル系接着剤からなる適宜の平面形状の接着層を形成する鎮痛プラスター。
【考案の詳細な説明】
【技術分野】
【０００１】
本考案は、高純度の無機ゲルマニウムからなる鎮痛プラスターに関し、身体の患部に貼り付けると、体温が０.５〜１℃上昇して血行を促進させ、且つ電子を発散して体内のプラス電子が±０になり、首・肩のこり、腰痛、神経痛などを速やかに取り去ることができる鎮痛プラスターに関する。
【背景技術】
【０００２】
現代人は、仕事、家事、勉強などによって多忙であり、日々の疲れが積み重なることになり、日常的に肩こり、腰の痛み、筋肉の疲れなどを訴える人が非常に多い。この痛みを解消させるために、数多くの消炎鎮痛プラスターが市販されている。この消炎鎮痛プラスターには、消炎鎮痛薬剤として皮膚刺激成分を配合することが多く、ｌ−メントールやｄｌ−カンフルは局所刺激作用を有し、湿疹、かぶれなどが発現することがあり、サリチル酸メチルは、皮膚から容易に吸収される特性によって、同一の個所において長時間にわたる貼着を行うとかぶれやすい。また、プラスターの貼着力が強すぎた場合には、その剥離に際して皮膚が発赤することがあるため、消炎鎮痛薬剤に抗ヒスタミン剤を添加したり、プラスター基材に機械的な穿孔を行って通気性を付与することもある。
【０００３】
この消炎鎮痛プラスターは、剥離時の機械的刺激が少なく、剥離後における粘着性物質の皮膚への残留が少ないことが必要であっても、実際には、支持体である布面全体に消炎鎮痛薬剤入りの粘着性物質を展延している。この消炎鎮痛プラスターが、必要とする患部以外の広い範囲にわたって貼着され、その貼着が長時間に及ぶと、かぶれ易い人に限らず、通常の人でもそう痒または発赤を免れない。これを軽減するために、例えば特開２０００−１６９３６６号では、消炎鎮痛剤を含む外用剤を支持体上面に展延したシート状のラスターにおいて、展延した外用剤のほぼ中央部位に限り、患部に対応させて被装するのに適した範囲で厚盛り部を隆設している。また、特開平１１−２６３７２４号は、温熱プラスターにおいて、粘着層を形成した支持体の周縁の内側に、施用部に対応させて温熱感を付与するトウガラシチンキ（Tinctura capsici）などを含む薬剤保持片を保持させ、該薬剤保持片の平面形状を長方形に定める。
【０００４】
鎮痛プラスターにおいて、シート素材の中央に薬剤を厚盛りしたり、周囲に粘着層を形成した支持体の内側に長方形の薬剤保持片を保持させると、これらの薬剤によるかぶれや発赤などを軽減することはできても完全に回避することはできず、治療効果の持続の点でも十分でない。一方、これらの薬剤の代わりにシート状のゲルマニウムを用いることは、特開昭５８−１４６５号または特許第２５７２５２０号などで開示されている。ゲルマニウム半導体からはゲルマニウムイオンが発生することにより、生体電流を調和して筋肉の緊張をほぐし、血液の鬱血を解いて血行が良くするとともに、使用時にかぶれ、発赤、炎症などの副作用が発生することがない。
【特許文献１】特開２０００−１６９３６６号公報
【特許文献２】特開平１１−２６３７２４号公報
【特許文献３】特開昭５８−１４６５号公報
【特許文献４】特許第２５７２５２０号公報
【考案の開示】
【考案が解決しようとする課題】
【０００５】
特開昭５８−１４６５号に開示の皮膚当接片は、ゲルマニウム粒子と金属粒子とを混合してシート状に成形しており、硬い板状であるので絆創膏や包帯で身体に固定しても違和感を回避できず、皮膚表面との接触が良くない。このゲルマニウム粒子は、他の金属粒子と混合するために純度があまり高くなく、身体のコリや痛みを和らげる作用が十分でないという問題も有する。また、特許第２５７２５２０号公報に開示の半導体治療剤は、ｐ形半導体の一例としてゲルマニウム半導体薄膜または粉末を明記し、このｐ形半導体の薄膜をプラスチックなどの成形体表面に形成している。この半導体治療剤は、硬い成形体の表面に薄膜を形成する場合には、前記と同様に絆創膏などで身体に固定すると使用時の違和感を回避できない。ゲルマニウム粉末を市販の化粧水などで練って使用する場合には、アルミニウムなどを添加するので純度があまり高くなく、身体から散逸しやすいために所望の効果が長期間持続しないという問題も発生する。
【０００６】
一方、比較的純度の高いゲルマニウムを含む製品には、ブレスレット、ネックレスまたはリングなどが存在する。ゲルマニウム製のブレスレットは、磁石製ブレスレットなどに比べて効果を長期間維持する点で有利であるが、ブレスレットおよびネックレスは使用時に身体の皮膚との接触が少なく、ゲルマニウムによる有益な作用を十分に享受できない嫌いがある。ゲルマニウム製のリングは、身体の皮膚との接触は完全であっても接触場所が限定され、その効果を局部的にしか享受できず、リングの使用感に問題が生じたらこれを外すしか対策がない。
【０００７】
本考案は、ゲルマニウム製品を含む鎮痛プラスターに関する前記の問題点を改善するために提案されたものであり、治療効果が良好なｐ形半導体である高純度の無機ゲルマニウムを有する鎮痛プラスターを提供することを目的としている。本考案の他の目的は、柔軟な材質で身体の患部に容易に貼り付けることができ、首・肩のこり、腰痛、神経痛などを迅速に取り去ることができる鎮痛プラスターを提供することである。
【課題を解決するための手段】
【０００８】
本考案に係る鎮痛プラスターは、高純度の無機ゲルマニウムの微粉末をバインダと混合し、シート基材の上にコートしてゲルマニウム含有層を形成し、さらに該ゲルマニウム含有層の上に適宜の平面形状の接着層を形成する。これを換言すると、純度９９％以上の無機ゲルマニウムの微粉末をポリウレタン系樹脂と混合し、シート基材の上にコートしてゲルマニウム含有層を形成し、さらに該ゲルマニウム含有層の上に適宜の平面形状の接着層を形成することである。
【０００９】
より具体的には、本考案の鎮痛プラスターは、布地の上にアルミニウム粉末とバインダからなる反射層を有するシート基材を作製し、ついで純度９９％以上の無機ゲルマニウムの微粉末をバインダと混合し、シート基材の反射層の上にコートしてゲルマニウム含有層を形成し、さらに該ゲルマニウム含有層の上に適宜の平面形状の接着層を形成する。これを換言すると、ナイロン生地の上にアルミニウム粉末とポリウレタン系樹脂からなる反射層を有するシート基材を作製し、ついで高純度の無機ゲルマニウムの微粉末をポリウレタン系樹脂と混合し、シート基材の反射層の上にコートしてゲルマニウム含有層を形成し、さらに該ゲルマニウム含有層の上に適宜の平面形状の接着層を形成することである。
【００１０】
実際の製品として、本考案の鎮痛プラスターは、ナイロン生地の上にアルミニウム粉末とポリウレタン系樹脂からなる反射層を形成するとともに、ナイロン生地の上にポリウレタン系樹脂を含有する模様層を形成し、双方のナイロン生地を貼り合わせてシート基材を作製する。ついで純度９９.９９９％以上の無機ゲルマニウムの微粉末をポリウレタン系樹脂と混合し、シート基材の反射層の上にコートしてゲルマニウム含有層を形成し、さらに該ゲルマニウム含有層の上にゴム系粘着剤またはアクリル系接着剤からなる適宜の平面形状の接着層を形成する。
【００１１】
ゲルマニウムは、空気中では変化しない原子番号３２、原子量７２.５９の元素であり、金属様の外観であるが金属ではなく、真性半導体であるので本明細書では無機ゲルマニウムと記載している。ゲルマニウムは、ゲルマン鉱やレニエ鉱などの鉱石から四塩化物ＧｅＣｌ４として取り出し，蒸留によって精製した後に加水分解し、生成した二酸化物ＧｅＯ２を水素で還元する。これを帯域溶融法で精製すると、灰白色でダイヤモンド構造を有する高純度の単体を得る。ゲルマニウムは、融点９３７.４℃，沸点２８３０℃，密度５.３２ｇ／ｃｍ３（２５℃）、電子移動度３９００ｃｍ２／Ｖ・ｓ、正孔移動度１９００ｃｍ２／Ｖ・ｓ、磁化率−０.１０６×１０−６ｃｍ３／ｇ、熱伝導率５９.９Ｗ／ｍ・Ｋであり、高温で二酸化物ＧｅＯ２となる．
【００１２】
無機ゲルマニウムのような半導体にはｐ形半導体とｎ形半導体とがあり、ゲルマニウムは電子不足のｐ形半導体である。ｐ形半導体を人間の皮膚に接触させると、サーモグラフィやレーザスペックル血流計を用いた測定によって血流が増加し、毛細血管に滞留していた痛みの原因物質や疲労物質が除去され、首・肩のコリ、神経痛や筋肉痛を解消することができる。ｐ形半導体を皮膚に塗布すると、一般にｐ形半導体については検体全体の約８０％に治療効果が認められる。無機ゲルマニウムは、半導体治療剤として純度が高いほど筋肉痛などに関して顕著な治療効果が認められ、好ましくは純度９９％以上、さらに好ましくは純度９９.９９９％以上であると、貼着によって痛いというような副作用が発生することがない。
【００１３】
無機ゲルマニウムは、例えば５μｍ以下の微粉末の形態で使用し、この微粉末をポリウレタン系樹脂、アクリル樹脂ラテックスまたはこれと同等の軟質樹脂からなるバインダと均一且つ十分に混練する。無機ゲルマニウムの微粉末は、バインダの樹脂液に対して５〜１０重量％添加する。図面によって説明すると、ゲルマニウム含有層１４（図１）は、シルクスクリーン法またはロールコータ法などによって、シート基材２の反射層８の上に部分的または全面的にコートされ、その厚みは１０〜４０μｍであればよい。この樹脂溶液は、無機ゲルマニウムの微粉末を均一に混練できれば、樹脂ラテックス、樹脂エマルジョン、樹脂懸濁液、親水性共重合体、化学反応性の水溶性樹脂などのいずれでもよい。
【００１４】
ゲルマニウム含有層１４に関して、バインダはポリウレタン系樹脂であると好ましい。ポリウレタン系樹脂は、例えば熱架橋性または経時架橋性であり、一般に密度が小さいため、他の樹脂に比べてゲルマニウムのイオン透過性がいっそう良好である。ポリウレタン系樹脂は、伸び、耐磨耗性、反発弾性および圧縮疲労強さが優れており、患部に貼り付けた際に層剥離や亀裂の発生が少ない。
【００１５】
接着層１６は、例えば、シート基材２の材質に適合した感圧接着剤から選択し、高い柔軟性を付与するには、通常、接着層１６はゴム系粘着剤またはアクリル系樹脂からなり、厚みを薄くしてゲルマニウムのイオン透過性を良好にする。特に、シート基材２が高伸縮性の繊維製品であるならば、接着層１６はアクリル系樹脂からなると、接着力が大きく且つかぶれがないので好ましい。接着層１６は、被転写材の表面形状に応じて厚みを定め、一般に厚みは２０〜２００μｍである。
【００１６】
接着層１６に関して、発汗による剥離がなく且つ繰り返し貼着を可能とするならば、該接着層として、例えば、ゴム系粘着剤の中に、水不溶性の吸水性樹脂粉末および水分の存在下で粘着性を有する水溶性高分子粉末を分散させる。接着層１６において、ゴム系粘着剤が、天然ゴム、イソプレン系ゴム、イソブチレン系ゴム、スチレン共重合体系ゴム、シリコン系ゴム、アクリル系ゴムなどのゴム粘着成分と、石油樹脂、ロジン、水添ロジン、エステルガム、テルペン樹脂、スチレン系樹脂、イソプレン系樹脂などの粘着付与剤と、ワセリン、ラノリン、流動パラフィンなどの可塑剤とで構成する。吸水性樹脂粉末は、平均粒子径が１〜１００μｍのデンプン−ポリアクリル酸塩グラフト共重合体、架橋ポリアクリル酸塩、アクリル酸ービニルアルコール共重合体、架橋イソブチレン−マレイン酸塩共重合体などである。水溶性高分子粉末は、ポリアクリル酸、ポリアクリル酸塩、ポリアクリルアミド、ポリエチレンオキシド、ポリエチレンイミン、ポリビニルアルコール、ポリビニルピロリドンなどであり、吸水性の高い接着層を得る。
【００１７】
接着層１６は、ゲルマニウム含有層１４の上に全面的に形成し、鎮痛プラスター１の使用時に離型紙（図示しない）ごと所望の形状に裁断すればよい。接着層１６は、図４に示すように、あらかじめ貼着場所などに応じて（１）長方形、（２）円形、（３）亀甲形、（４）楕円形などの平面形状に定めてもよい。この場合には、接着層１６は、接着力が大きく且つかぶれが少ないアクリル系樹脂であると好ましい。
【００１８】
また、接着層１６は、図５に示すように、ゲルマニウム含有層１４の平面の一部に形成てもよく、接着層１６が存在する平面部分だけゲルマニウム含有層を除去することが可能である。この接着層として、（１）円環状形、（２）矩形環状形、（３）中央部の小丸形、四隅部分の矩形などの平面形状が例示できる。この場合には、ゲルマニウム含有層１４が直接患部に接触するので、高純度の無機ゲルマニウムによる治療効果がいっそう有効になることが期待できる。
【考案の効果】
【００１９】
本考案に係る鎮痛プラスターは、身体の患部個所に貼り付けると、多くの痛み、例えば首・肩のこり、神経痛、むち打ち症、五十肩、腰痛、ぎっくり腰、膝痛、足の痛み、ねんざ、座骨神経痛、慢性関節リュウマチ、耳鳴り、難聴、血友病などに優れた治療効果がある。この鎮痛プラスターにおいて、ゲルマニウム含有層からゲルマニウムイオンが効果的に発生することにより、乱れた生体電流を瞬時に調和して筋肉の緊張をほぐし、血液の鬱血を解いて血行を良くして身体のコリや痛みを和らげ、使用時にかぶれ、発赤、炎症などの副作用が発生することがない。
【００２０】
本考案の鎮痛プラスターは、高純度の無機ゲルマニウムが厚生労働省の医療用具承認を取得しているので、安全性についても確実である。この鎮痛プラスターにおけるゲルマニウムは、高純度であるほど治療効果があり、純度が９９.９９９％以上であると、人体に有害な活性酸素による筋肉細胞の破壊を確実に抑制でき、しかも貼着によって疼痛発症というような副作用の発生は皆無である。
【００２１】
本考案の鎮痛プラスターは、厚さ０.５〜１.０ｍｍ程度の柔軟で薄いシート材である。この鎮痛プラスターは、薄くて柔軟であるので貼着した際の違和感が殆どなく、身体の動きに応じて伸縮するので使用時に剥がれにくく、貼ったままで食事、体操やその他の作業を行うことも可能である。
【考案を実施するための最良の形態】
【００２２】
次に、本考案を実施例に基づいて説明するが、本考案は実施例に限定されるものではない。図１には、本考案に係る鎮痛プラスター１の一例を示す。
【００２３】
鎮痛プラスター１のシート基材２は、表面材３（図２）と裏面材５（図３）とによって構成する。表面材３は、図２に示すように、薄いナイロン生地７の上に、アルミニウム粉末とポリウレタン系樹脂とを混練した銀色の反射層８を形成する。また、裏面材５は、図３に示すように、薄いナイロン生地１０の上に、ポリウレタン系樹脂を含有する模様層１２を形成し、さらに適宜の文字や図形を印刷する。模様層１２は、通常、酸化チタンなどの白色顔料を加えて白色であり、さらにその表面に適宜の文字や図形を印刷する。
【００２４】
生地７，１０は、通常、同一の薄いナイロン生地である。反射層８および模様層１２は、シルクスクリーン法またはロールコータ法によって、ナイロン生地７，１０上に厚さ１０〜５０μｍ程度に薄く表面付着させる。反射層８および模様層１２には、生地７，１０との把持力を高めるために熱可塑性ポリアミド樹脂を適量添加すると好ましい。
【００２５】
シート基材２は、両面粘着テープ（図示しない）などによってナイロン生地７，１０を全面的に貼り合わせ、ローラ対を通して一体化させる。ゲルマニウム含有層１４は、純度９９.９９９％の無機ゲルマニウム微粉末８重量％およびポリウレタン系樹脂ラテックス９２重量％と十分に混練して製造する。ゲルマニウム含有層１４は、シルクスクリーン法によって、シート基材２の反射層８の上に全面的にコートする。ゲルマニウム含有層１４の厚さは約１０μｍである。
【００２６】
鎮痛プラスター１を身体に貼着できるように、さらにゲルマニウム含有層１４の上に適宜の平面形状の接着層１６を設ける。接着層１６は、例えば、カーボン数２〜１２の脂肪族アルコールのアクリルエステルを主体とするアクリル系樹脂からなり、接着力が大きく且つ使用時にかぶれがない。接着層１６は、被転写材の表面形状に応じて厚みを定め、厚みは５０〜８０μｍであると好ましい。
【００２７】
別の接着層として、スチレン共重合体系ゴム３０部、ポリイソブチレン１５部、流動パラフィン２５部を、適量のｎ−ヘキサンに混合して溶解させ、得た粘着剤溶液にデンプン−ポリアクリル酸塩グラフト共重合体１０部を分散させてもよい。この分散液はシルクスクリーン法でゲルマニウム含有層１４の上に塗布し、適宜に加熱してｎ−ヘキサンを揮発させて接着層を形成する。この接着層は、通常、厚さを５０〜８０μｍとする。
【００２８】
接着層１６は、ゲルマニウム含有層１４の上に全面的に形成したり、図４に示すように、（１）長方形、（２）円形、（３）亀甲形、（４）楕円形などの所定の平面形状に定める。また、図５に示すように、接着層１６をゲルマニウム含有層１４の一部に形成してもよく、例えば（１）円環状形、（２）矩形環状形、（３）中央部の小丸形、四隅の部分矩形（図示しない）などに定めればよい。
【００２９】
鎮痛プラスター１は、表面が銀色をした厚さ０.５〜１.０ｍｍの柔軟で薄いシート材である。鎮痛プラスター１から離型紙（図示しない）を剥がして身体の患部個所に貼り付けると、純度９９.９９９％以上の無機ゲルマニウムによって多くの痛みに対して優れた治療効果を発揮する。鎮痛プラスター１は、薄くて柔軟であるので貼着した際の違和感が少なく、貼ったままで食事やその他の作業を行うことができる。また、鎮痛プラスター１は、使用時に剥がれにくく、絆創膏や包帯で固定するといっそう強固に貼着できる。
【図面の簡単な説明】
【００３０】
【図１】本考案に係る鎮痛プラスターを例示する拡大断面図である。
【図２】シート基材の表面材を示す拡大断面図である。
【図３】シート基材の裏面材を示す拡大断面図である。
【図４】鎮痛プラスターの平面形状を例示する概略平面図である。
【図５】鎮痛プラスターの他の平面形状を例示する概略平面図である。
【符号の説明】
【００３１】
１    鎮痛プラスター
２    シート基材
８    反射層
１２    模様層
１４    ゲルマニウム含有層
１６    接着層
【図１】
0003103042.tif 000003
【図２】
0003103042.tif 000004
【図３】
0003103042.tif 000005
【図４】
0003103042.tif 000006
【図５】
0003103042.tif 000007
【手続補正書】
【提出日】平成16年2月2日(2004.2.2)
【手続補正１】
【補正対象書類名】明細書
【補正対象項目名】００１８
【補正方法】変更
【補正の内容】
【００１８】
また、接着層１６は、図５に示すように、ゲルマニウム含有層１４の平面の一部に形成してもよく、接着層１６が存在する平面部分だけゲルマニウム含有層を除去することが可能である。この接着層として、（１）円環状形、（２）矩形環状形、（３）中央部の小丸形、四隅部分の矩形などの平面形状が例示できる。この場合には、ゲルマニウム含有層１４が直接患部に接触するので、高純度の無機ゲルマニウムによる治療効果がいっそう有効になることが期待できる。